Podtech/llm-jp-corpus-v4-ja_patent huggingface dataset:
【手続補正書】
【提出日】平成16年8月18日(2004.8.18)
【手続補正１】
【補正対象書類名】明細書
【補正対象項目名】特許請求の範囲
【補正方法】変更
【補正の内容】
【特許請求の範囲】
【請求項１】
予め定められた入力空間解像度を持つ入力信号から、上記の入力空間解像度とは異なる予め定められた出力空間解像度を持つ高コントラストの倍率変更された画像を生成する装置であって、
上記入力信号の入力サンプルから出力サンプルを生成するための、位相に分割されるフィルタと、
上記入力サンプルの中で最も近くで起こるものから、予め定められた空間閾値を超えて起こる上記出力サンプルの内の予め定められたものを検出し、また、上記入力サンプルの最近起こったものにおいて、上記入力信号の内の画像の細部を検出するための細部検出器と、
上記画像細部と実質上並べられ、そのために上記細部の画像コントラストを強調するように、上記出力サンプルの内の上記の予め定められたものの場所を移すための出力標本化回路と
を備え、
前記場所を移すことによって、一様でない出力サンプリングが得られることを特徴とする装置。
【請求項２】
上記の細部検出器は、上記パルス画像細部の各端部と実質上並べられて、そこで予め定められた振幅が上記の画像細部からの雑音にフィルタをかけるための閾値として機能するように、上記の予め定められた振幅を超えたパルス画像細部を検出し、かつ、それに応えて上記の出力標本化回路に上記出力サンプルの２個の隣接したものの場所を移させるための手段をさらに備えることを特徴とする請求項１記載の装置。
【請求項３】
上記の細部検出器は、上記の左端部の画像細部と実質上並べられて、そこでさらに予め定められた振幅が上記の画像細部からの雑音にフィルタをかけるための閾値として機能するように、上記の予め定められた振幅を超えた左端部の画像細部を検出し、かつ、それに応えて上記の出力標本化回路に上記の出力サンプルの隣接したものの場所を移させるための手段を備えることを特徴とする請求項１記載の装置。
【請求項４】
上記の細部検出器は、上記の右端部の画像細部と実質上並べられて、そこで予め定められた振幅が上記の画像細部からの雑音にフィルタをかけるための閾値として機能するように、上記の予め定められた振幅を超えた右端部の画像細部を検出し、かつ、それに応えて上記の出力標本化回路に上記の出力サンプルの隣接したものの場所を移させるための手段を備えることを特徴とする請求項１記載の装置。
【請求項５】
予め定められた入力空間解像度を持つ入力信号から、上記の入力空間解像度とは異なる予め定められた出力空間解像度を持つ高コントラストの倍率変更された画像を生成する方法であって、
上記入力信号の入力サンプルから出力サンプルを生成する段階と、
上記入力サンプルの中で最も近くで起こるものから、予め定められた空間閾値を超えて起こる、上記出力サンプルの内の予め定められたものを検出する段階と、
上記入力サンプルの中で最も近くで起こるものにおいて、上記入力信号内の画像細部を検出する段階と、
上記画像細部と実質上並べて、それによって上記細部の画像コントラストを強調するように、上記出力サンプルの内の予め定められたものの場所を移す段階と
を備え、
前記場所を移す段階によって、一様でない出力サンプリングが得られることを特徴とする方法。
【請求項６】
上記の画像細部を検出する段階は、上記のパルスの画像細部と実質上並べられて、そこで予め定められた振幅が上記の画像細部からの雑音にフィルタをかけるための閾値として機能するように、予め定められた振幅を超えたパルス画像細部を検出し、かつ、それに応えて上記の出力サンプルの隣接したものの場所を移させるための手段をさらに備えることを特徴とする請求項５記載の方法。
【請求項７】
上記の画像細部を検出する段階は、上記の左端部の画像細部と実質上並べられて、そこで予め定められた振幅が上記の画像細部からの雑音にフィルタをかけるための閾値として機能するように、上記の予め定められた振幅を超えた左端部の画像細部を検出し、かつ、それに応えて上記の出力サンプルの隣接したものの場所を移させるための手段を備えることを特徴とする請求項５記載の方法。
【請求項８】
上記の画像細部を検出する段階は、上記の右端部の画像細部と実質上並べられて、そこで予め定められた振幅が上記の画像細部からの雑音にフィルタをかけるための閾値として機能するように、上記の予め定められた振幅を超えた右端部の画像細部を検出し、かつ、それに応えて上記の出力サンプルの隣接したものの場所を移させるための手段をさらに備えることを特徴とする請求項５記載の方法。
【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】
ラスタ画像を圧縮する方法であって、
画像のサブピース（ｓ１，ｓ２，ｓ３，ｓ４）を組み合わせて少なくとも１つのサブストリングにするステップ（６０２）と、
各サブストリングの任意の予測ランおよびリテラルランにインデクス付けを行って少なくとも１つのインデクスサブストリングにするステップ（６０３）と、
各インデクスサブストリングを可逆圧縮するステップ（６０４，図７）
からなる方法。
【請求項２】
前記組み合わせるステップ（６０２）が、
前記ラスタ画像の各ラインについて、該ラスタ画像がテキスト画像を表すか、ハーフトン化画像を表すかを判定するステップ（７０１）と、
前記ラスタ画像がテキストを表す場合は、サブピース（ｓ１，ｓ２，ｓ３，ｓ４）を順次配置して１つのサブストリングにするステップと、
前記ラスタ画像がハーフトーン化画像を表す場合は、前記サブピースをインターリーブして前記少なくとも１つのサブストリングにするステップ
からさらになる、請求項１の方法。
【請求項３】
圧縮テーブルを再生成する必要があるという指示を待つステップ（７０５）と、
前記圧縮テーブルを再生成するステップ（７０６）
からさらになる、請求項２の方法。
【請求項４】
前記指示が、閾値レベルと比較される実際の圧縮率である（７０５）、請求項３の方法。
【請求項５】
画像を圧縮する方法であって、
画像をディザリングして、１ビット／画素のラスタデータを生成するステップ（６０１）と、
前記ラスタデータのサブピース（ｓ１，ｓ２，ｓ３，ｓ４）を組み合わせて複数のサブストリングにするステップ（６０２）と、
すべての予測ランおよびリテラルランにインデクス付けを行う（６０３）ことにより、前記複数のサブストリングの各サブストリングを符号化して、複数のインデクスサブストリングのうちの１つのインデクスサブストリングにするステップ（６０３）と、
前記複数のインデクスサブストリングを可逆圧縮して圧縮データにするステップ（６０４，図７）
からなる、方法。
【請求項６】
前記圧縮データを復元して前記複数のインデクスサブストリングにするステップ（９０６）と、
データと共に前記予測ランおよび前記リテラルランにより前記複数のインデクスサブストリングを復号化して前記サブストリングにするステップと、
前記サブストリングをインターリーブして前記ラスタデータを再生成するステップ（９１１）
からさらになる、請求項５の方法。
【請求項７】
圧縮データを復元してラスタ画像にする方法であって、
前記圧縮データを複数のインデクスサブストリングに復元するステップ（９０６）と、
インデクステーブル（９０９）を用いて予測ランおよびリテラルランをサブストリングのデータに変換することにより、前記複数のインデクスサブストリングを前記サブストリングに復号化するステップ（９０８）と、
前記サブストリングをインターリーブして前記ラスタデータを再生成するステップ（９１１）
からなる、方法。
【請求項８】
前記複数のインデクスサブストリングの各インデクスサブストリング内の各インデクスについて、前記インデクステーブル（９０９）内の一致しているインデクスを見つけるステップと、
前記一致しているインデクスが予測ランである場合は、以前復元されたラスタデータを現在のラスタデータにコピーするステップ
からさらになる、請求項７の方法。
【手続補正書】
【提出日】平成16年8月4日(2004.8.4)
【手続補正１】
【補正対象書類名】明細書
【補正対象項目名】００２０
【補正方法】変更
【補正の内容】
【００２０】
撮像部１６の可変フィルタ１６ａおよびＣＣＤカメラ１６ｂは一体となって、光源部１４と同様に、中心位置Ｂを中心とした所望の方位方向の、中心位置Ｂより一定の距離離間した位置、すなわち、円弧Ｃ上の所望の方位方向（撮像部位置）に調整可能に配置され、中心位置Ｂを中心とする被写体撮影領域Ａに向けて配置される。すなわち、撮像部１６は、円弧Ｃ上の所望の撮像位置を、中心位置Ｂを通る被写体Ｏの垂線方向を基準とした撮像方位角φによって自由に調整することができるように構成される。また、光源１４および撮像部１６は、平面状の被写体Ｏの垂直平面内にある円弧Ｃ上に配置されるが、円弧Ｃは、必ずしも垂直平面内にある必要はなく、平面上の被写体Ｏと一定角度を保つ平面内にあってもよい。すなわち、略平面状の被写体Ｏの正面に正対せず、図１の例においては、紙面上方あるいは下方に光源１４および撮像部１６が配置されるものであってもよい。さらに、本実施例では、可変フィルタ１６ａおよびＣＣＤカメラ１６ｂは、光源部１４と同一の円弧Ｃ上に配置されるが、これに限られず、中心位置Ｂを中心とする一定の同心円の円弧上に配置されてもよい。
【手続補正２】
【補正対象書類名】明細書
【補正対象項目名】００４４
【補正方法】変更
【補正の内容】
【００４４】
このようなマルチスペクトル画像収録・処理装置および画像収録・処理方法において、以下のようなマルチスペクトル画像の収録および処理を行った。
撮像部１６のＣＣＤカメラ１６ｂとして、エリアセンサを備えるＤＡＬＳＡ社製CA-D4-1024A（画素数１０２４×１０２４、ピクセルサイズ１２×１２ミクロン、ＰＣＩインターフェース付き、モノクロ）を用い、可変フィルタ１６ａとして、ＣＲＩ社製Varispec  Tunable  Filter  （液晶チューナブルフィルタ）を用いた。この液晶チューナブルフィルタによって、４１０〜７１０ｎｍの撮影波長帯域を、バンド帯域幅を２０ｎｍずつに分割し、１６バンドとした。標準白色板Ｒとして、カラーアナライザＣ２０００（日立計測株式会社製）に添付されている副白板丸タイプを用い、被写体ＯとしてGreen100ペーパー（富士ゼロックス社製）に、COLOR  LASER  SHOT  LBP2030（キャノン社製）でプリントした人物画を用いた。
【手続補正書】
【提出日】平成16年2月9日(2004.2.9)
【手続補正１】
【補正対象書類名】明細書
【補正対象項目名】特許請求の範囲
【補正方法】変更
【補正の内容】
【特許請求の範囲】
【請求項１】
胴の長さにわたって延びている清掃用布と、それと組み合って働く押圧要素を有し、前記清掃用布は、動きつつある外套面に前記押圧要素によって押圧可能であり、前記押圧要素は、内圧が加えられると弾性的に膨脹する、弾性変形可能な中空体で成っている、輪転印刷機における胴の外套面を清掃する装置において、
前記中空体（５）への空気供給は二方弁（８）によって行われ、
前記二方弁（８）が正圧から負圧へと切り替えられることにより、前記中空体（５）は、外側に張り出した位置から中立の休止位置を経て内側に広がった位置まで動かされることを特徴とする、輪転印刷機における胴の外套面を清掃する装置。
【請求項２】
前記中空体（５）は、中立の休止位置にあるとき、空気圧が作用せず、外側に向けて膨らんだ断面形を有している、請求項１記載の装置。
【手続補正２】
【補正対象書類名】明細書
【補正対象項目名】０００６
【補正方法】変更
【補正の内容】
【０００６】
本発明の一つの有利な実施態様では、中空体は、中立の休止位置にあるとき空気圧が作用せず、外側に向けて膨らんだ断面形を有している。中空体がゴム状の材料でできているならば、このような形態でもって、比較的に小さい正圧または負圧によって容易に本発明の目的が達せられ得る。
【手続補正書】
【提出日】平成16年5月18日(2004.5.18)
【手続補正１】
【補正対象書類名】明細書
【補正対象項目名】特許請求の範囲
【補正方法】変更
【補正の内容】
【特許請求の範囲】
【請求項１】
表示装置に表示させる３次元オブジェクトを生成する方法であって、
任意の形状を有する複数の３次元オブジェクトを生成した後、表示装置に表示された状態における選択操作イベントに対し各３次元オブジェクトを操作対象に含めるかを決める被選択基準を３次元オブジェクト毎に個別にまたはまとめて設定し記憶装置に保存するステップを備えることを特徴とする３次元オブジェクトの生成方法。
【請求項２】
前記被選択基準として、各３次元オブジェクトに関連する他の３次元オブジェクトを操作対象にするかを決める被選択基準を有することを特徴とする請求項１に記載の３次元オブジェクトの生成方法。
【請求項３】
前記被選択基準として、自オブジェクトまたは他オブジェクトが優先して操作対象として選択されるように決定する被選択基準を有することを特徴とする請求項１または２に記載の３次元オブジェクトの生成方法。
【請求項４】
前記被選択基準として、選択操作イベントに対し反応するか否かを決める反応可否基準を有することを特徴とする請求項１〜３のいずれか一項に記載の３次元オブジェクトの生成方法。
【請求項５】
前記被選択基準を関数として設定し保持させることを特徴とする請求項１〜４のいずれか一項に記載の３次元オブジェクトの生成方法。
【請求項６】
表示装置に表示させる３次元オブジェクトを生成する方法であって、
任意の形状を有する複数の３次元オブジェクトを生成した後、表示装置に表示された状態における選択操作イベントに対し各３次元オブジェクトを操作対象に含めるかを決める被選択権決定処理を３次元オブジェクト毎に個別にまたはまとめて設定し記憶装置に保存するステップを備えることを特徴とする３次元オブジェクトの生成方法。
【請求項７】
選択操作イベントに対する被選択基準を保持した複数の３次元オブジェクトを記憶装置から読み出して表示装置に表示させ、その表示された３次元オブジェクトへの選択操作イベントに対しいずれの３次元オブジェクトを選択するかを制御する３次元オブジェクトの選択制御方法であって、
表示画面上における選択操作イベントを、予め設定された規則によって当該選択操作イベントの位置に応じて決定された選択候補オブジェクト群内に存在する全ての３次元オブジェクトに伝達するステップと、
伝達した３次元オブジェクトからの応答を受け、その応答内容のうち予め設定した選択条件を満たす１つまたは複数の３次元オブジェクトを操作対象として選択するステップとを備えることを特徴とする３次元オブジェクトの選択制御方法。
【請求項８】
前記選択条件として、表示色が不透明で最も視点側に位置する３次元オブジェクトを選択する条件が設定されていることを特徴とする請求項７に記載の３次元オブジェクトの選択制御方法。
【請求項９】
前記選択条件として、表示色に拘わらず最も視点側に位置する３次元オブジェクトを選択する条件が設定されていることを特徴とする請求項７に記載の３次元オブジェクトの選択制御方法。
【請求項１０】
前記選択条件として、選択操作イベントに対する反応可否基準として反応可が設定されている３次元オブジェクトのうち最も視点側に位置する３次元オブジェクトを選択する条件が設定されていることを特徴とする請求項７に記載の３次元オブジェクトの選択制御方法。
【請求項１１】
表示装置に表示させる３次元オブジェクトのデータ構造であって、
任意の形状を規定する第１のデータ部と、表示装置に表示された状態における選択操作イベントに対し各３次元オブジェクトを操作対象に含めるかを決める被選択基準の第２のデータ部を保持することを特徴とする３次元オブジェクトのデータ構造。
【請求項１２】
前記第２のデータ部を関数として保持することを特徴とする請求項１１に記載の３次元オブジェクトのデータ構造。
【手続補正書】
【提出日】平成16年6月18日(2004.6.18)
【手続補正１】
【補正対象書類名】明細書
【補正対象項目名】発明の名称
【補正方法】変更
【補正の内容】
【発明の名称】ポータブルメモリカードおよび記憶装置
【手続補正２】
【補正対象書類名】明細書
【補正対象項目名】特許請求の範囲
【補正方法】変更
【補正の内容】
【特許請求の範囲】
【請求項１】
ポータブルメモリカードであって、
第１面と、該第１面に対向する第２面とを有する本体と、
前記本体内のメモリ記憶ユニットと、
前記第１面および前記第２面の各々に備えられた、前記メモリ記憶ユニットに電気的に接続された少なくとも１つの接点と、
前記本体において画定され、ほぼ直線状の溝および該溝の反対側のほぼ直線状の畝を含む位置合わせガイドと
を具備する、ポータブルメモリカード。
【請求項２】
ポータブルメモリカードであって、
第１面と、該第１面に対向する第２面とを有する本体と、
前記本体内のメモリ記憶ユニットと、
前記第１面および前記第２面の各々に備えられた、前記メモリ記憶ユニットに電気的に接続された少なくとも１つの接点と、
前記本体において画定される２つの位置合わせガイドであって、それぞれがほぼ直線状の溝および該溝の反対側のほぼ直線状の畝を含んでおり、互いに反対の向きにあることにより、一方の位置合わせガイドの前記溝が、他方の位置合わせガイドの前記溝とは実質的に反対の方向を向いている、２つの位置合わせガイドと
を具備する、ポータブルメモリカード。
【請求項３】
記憶装置であって、
互いに対向する第１面および第２面を有する本体と、
該本体内に格納された記憶要素と、
前記記憶要素に電気的に接続される、前記第１面の少なくとも１つの接点および前記第２面の少なくとも１つの接点と、を具備し、
前記本体および前記接点は、複数の前記記憶装置が前記第１、第２面を対向させて積み重ねられると前記接点が接触してバスを形成するように構成される、記憶装置。
【手続補正書】
【提出日】平成17年2月4日(2005.2.4)
【手続補正１】
【補正対象書類名】明細書
【補正対象項目名】特許請求の範囲
【補正方法】変更
【補正の内容】
【特許請求の範囲】
【請求項１】
炭化水素の部分酸化工程を含む炭化水素からの、燃料タンク内での電力生産方法において、
ａ）  沸点約４００℃未満の炭化水素仕込原料を含む流れを供給すること、
ｂ）  該流れが完全に気化されるために充分な、少なくとも２００℃の温度で前記流れを予備加熱すること、
ｃ）  空気を含むガス酸化剤流を供給し、該酸化剤流を、少なくとも４００℃の温度で予備加熱すること、
ｄ）  上記２つのガス流を、部分酸化帯域（３）または部分酸化室において反応させること、
該室の操作条件は、次の範囲：すなわち
・室内での滞留時間１００〜１２００ミリ秒、
・室の出口温度１１５０〜１６５０℃、および
・室の圧力０．１〜１．５ＭＰａ、好ましくは０．１５〜０．８ＭＰａ
であり、
室の出口温度は、仕込原料の炭素の少なくとも９０％がＣＯまたはＣＯ２に転換されて、流出物中に含まれる煤の量が仕込原料に対して０．１重量％未満、好ましくは０．５〜１００ｐｐｍであるのに充分であること、
ｅ）  室の流出物を、温度２００〜１０５０℃、好ましくは５００〜９００℃で冷却（５）すること、
ｆ）  並列状に取り付けられた、少なくとも１つの第１フィルタ（７）を含む第１回路（６）と、第２回路（４１）とを備える煤の少なくとも１つの捕集・処理帯域において、冷却流出物を流通させ、流出物の濾過工程を該第１フィルタ内でそこに煤が堆積する期間の間行い、該煤を含む第１フィルタを酸素含有ガスの存在下に別の時間の期間の間再生し、前記別の時間の期間の間に、該冷却流出物を、該第２回路に流通させ、前記第１フィルタは、有効容積に対する濾過面積の比が８０〜５０００ｍ―１であるような高コンパクト性を有し、水素に富む、捕集帯域から排出される流出物を回収すること、および
ｇ）  捕集帯域から排出される流出物の少なくとも一部を、燃料タンク（１０）に供給すること
を特徴とする、電力生産方法。
【請求項２】
第２回路が、煤用の少なくとも１つのフィルタ（１４）を含むことを特徴とする、請求項１記載の方法。
【請求項３】
第２回路のフィルタが、第１フィルタが再生される間に捕集煤を気化するために、それらの水蒸気リフォーミング触媒を含む、請求項２記載の方法。
【請求項４】
第１フィルタ内での濾過工程の時間の期間のうちの少なくとも一部の期間において、第２回路のフィルタを、酸素を含むガスの存在下に再生する、請求項２記載の方法。
【請求項５】
第１フィルタの再生流出物を第１回路から抜き出す、請求項１〜４のうちのいずれか１項記載の方法。
【請求項６】
ガス酸化剤および／または炭化水素仕込原料が、Ｈ２Ｏ／炭化水素重量比０．１〜２．０、好ましくは０．４〜１．２において水蒸気を含む、請求項１〜５のうちのいずれか１項記載の方法。
【請求項７】
捕集帯域から排出される流出物の酸素含有量を測定する、請求項１〜６のうちのいずれか１項記載の方法。
【請求項８】
捕集帯域から来る流出物中の硫化水素および一酸化炭素の少なくとも一部を除く少なくとも１つの除去工程を行う、請求項１〜７のうちのいずれか１項記載の方法。
【請求項９】
燃料タンクが、固体酸化物を有する電解質型タンク（ＳＯＦＣ）である、請求項１〜７のうちのいずれか１項記載の方法。
【請求項１０】
燃料タンクが、ポリマー電解質を有するタンク（ＰＥＭＦＣ型）あるいは燐酸を有するタンクである、請求項１〜８のうちのいずれか１項記載の方法。
【請求項１１】
第１フィルタの再生期間の間にかつ第２回路内を流通する間に生成する煤の量を低減させるために、第１フィルタの該再生期間の間における部分酸化帯域の運転条件を変更する、請求項１〜１０のうちのいずれか１項記載の方法。
【請求項１２】
下記：
・流れの再加熱のために少なくとも１つの熱交換器（５）に連結される、空気に富む酸化剤流の供給回路（１）、
・９０％を越える炭化水素転換率を得るための充分な温度での、再加熱された酸化剤流による炭化水素の部分酸化と、炭化水素に対して０．１重量％未満の量の煤生成とのための、熱交換器（５）および炭化水素に富む流れの供給流（２）に連結される少なくとも１つの部分酸化室、
・下流において熱交換器と連結される部分酸化室（３）、
・熱交換器（５）に連結される入口を有しかつ並列状に取り付けられた、少なくとも１つの第１フィルタ（７）を含む第１回路（６）と、第２回路（４１）とを備える煤の捕集・処理手段であって、さらに第１フィルタが、煤の燃焼による連続再生手段（２０）（２１）を備え、第１フィルタが、有効容積に対する濾過面積の比８０〜５０００ｍ−１、好ましくは１５０〜１５００ｍ−１を有する、捕集・処理手段であり、煤を除去された、水素に富む流出物の出口管路（９）を有する捕集・処理手段、
・電力生産に適合される、捕集・処理手段の流出物の出口に連結される少なくとも１つの燃料タンク、および
・第１フィルタの再生手段（２０）（２１）に連結される煤の捕集・処理手段を交互に使用する手段（３０）（３１）（３２）（３５）
を組み合わせて備える、請求項１〜１１のうちのいずれか１項記載の方法に用いる電力生産装置。
【請求項１３】
交互に使用するための手段（３０）が、第１フィルタの再生期間の間にかつ第２回路内を流通する間に生成する煤の量を低減するために、第１フィルタの該再生期間の間における部分酸化室の運転条件を変える変更手段（３３）（３４）を備える、請求項１２記載の装置。
【請求項１４】
第２回路が、煤用フィルタを含む、請求項１２または１３記載の装置。
【請求項１５】
流出物の精製手段（５０）（５１）（５２）（５３）が、煤の捕集・処理手段の出口と、燃料タンク（１０）との間に置かれる、請求項１２〜１４のうちのいずれか１項記載の装置。
【手続補正書】
【提出日】平成16年2月16日(2004.2.16)
【手続補正１】
【補正対象書類名】明細書
【補正対象項目名】特許請求の範囲
【補正方法】変更
【補正の内容】
【特許請求の範囲】
【請求項１】
既知寸法のパターンを有する基準試料を用い、当該パターンを標準試料として電子顕微鏡を校正する方法において、
前記既知寸法から段階的に寸法が異なっている複数の粒子を前記基準試料の観察面に載せ、
最初、前記複数の粒子の中の１個の寸法を、前記基準試料のパターンにより校正して第２の標準試料とした後、前記複数の粒子の中の他の１個の寸法を、前記第２の標準試料により校正して第３の標準試料とし、以後、同じ処理を残りの粒子についても繰り返えすことにより、第２から第ｎまでの標準試料を求め、
これら第２から第ｎまでの標準試料に前記基準試料のパターンを第１の標準試料として含めた上で、
これら第１から第ｎの標準試料の何れかを用いて校正を行うことを特徴とする電子顕微鏡の校正方法。
【請求項２】
請求項１に記載の発明において、
前記基準試料の観察面に未知試料が載せられていることを特徴とする電子顕微鏡の校正方法。
【請求項３】
請求項１に記載の発明において、
前記未知試料が、前記第１の標準試料による校正範囲を外れた寸法で、
当該未知試料の校正が、前記第２から第ｎの標準試料を用いて行われることを特徴とする電子顕微鏡の校正方法。
【請求項４】
既知寸法のパターンを有する基準試料の観察面に、前記既知寸法から段階的に寸法が異なっている複数の粒子を載せ、分散支持させたことを特徴とする電子顕微鏡校正用標準試料。
【請求項５】
既知寸法のパターンを有する基準試料の観察面に、前記既知寸法から段階的に寸法が異なっている複数の粒子を分散支持させ、前記観察面に未知試料が支持されることを特徴とする電子顕微鏡校正用標準試料。
【手続補正書】
【提出日】平成16年2月16日(2004.2.16)
【手続補正１】
【補正対象書類名】明細書
【補正対象項目名】特許請求の範囲
【補正方法】変更
【補正の内容】
【特許請求の範囲】
【請求項１】
試料の観察条件データを当該試料の画像データと一対一に対応させて保存する方式の電子顕微鏡において、
電子顕微鏡の観察条件設定手段を制御する制御手段を設け、
前記制御手段は、或る試料の画像データが指定されたとき、当該試料の観察条件データを呼出し、それに基づいて、当該試料の画像データを保存したときと同じ観察条件になるように、前記観察条件設定手段を制御するように構成されていることを特徴とする電子顕微鏡。
【請求項２】
請求項１に記載の発明おいて、
前記画像データがタグ領域を含むＴＩＦ形式データとして保存され、前記観察条件データが前記タグ領域に保存されていることを特徴とする電子顕微鏡。
【請求項３】
請求項１に記載の発明において、
前記観察条件が、倍率と加速電圧に加えて観察モードを含み、この観察モードは、回折モード、高分解能モード、ハイコントラストモード、極低倍モードの何れかであることを特徴とする電子顕微鏡。
【請求項４】
請求項１に記載の発明において、
前記観察条件が、少なくとも試料ステージの座標位置を含むことを特徴とする電子顕微鏡。
【手続補正書】
【提出日】平成16年2月16日(2004.2.16)
【手続補正１】
【補正対象書類名】明細書
【補正対象項目名】特許請求の範囲
【補正方法】変更
【補正の内容】
【特許請求の範囲】
【請求項１】
側部に予備排気室を有する試料室の上部に、鏡筒が直立して備えられている走査形電子顕微鏡において、
前記試料室を傾斜させる駆動手段を設け、
前記試料室の傾斜により前記鏡筒に現われる自重による傾斜を制御し、電子ビームの試料面での照射位置の補正が得られるように構成したことを特徴とする走査形電子顕微鏡。
【請求項２】
請求項１に記載の発明において、
前記駆動手段は、予備排気室が内部の圧力変化により変形して前記試料室に変形が現われ、前記鏡筒の向きが変化したとき制御されることを特徴とする走査形電子顕微鏡。
【請求項３】
請求項１又は請求項２に記載の発明において、
前記駆動手段は、前記試料室と当該試料室を支持するベースの間に、前記鏡筒の中心軸に対してほぼ等角度で、ほぼ等距離離れて配置されている少なくとも３個の圧電素子で構成されていることを特徴とする走査形電子顕微鏡。
【請求項４】
請求項１又は請求項２に記載の発明において、
前記駆動手段は、前記試料室と当該試料室を支持するベースの間に、前記鏡筒の中心軸に対してほぼ等角度で、ほぼ等距離離れて配置されている少なくとも３個のモータ駆動形くさび式移動機構で構成されていることを特徴とする走査形電子顕微鏡。
【請求項５】
請求項１又は請求項２に記載の発明において、
前記駆動手段を制御する制御手段を設け、
該制御手段は、予め前記該試料室の変形量と時間の関係を把握し、前記駆動手段の操作量を決定して当該駆動手段を制御することを特徴とする走査形電子顕微鏡。
【請求項６】
請求項１又は請求項２に記載の発明において、
前記駆動手段を制御する制御手段と、
前記試料室の変形を検出する歪み検出手段とを設け、
前記御手段は、前記歪み検出手段により測定された歪み量と時間の関係から前記駆動手段の操作量を算出し、前記駆動手段を制御することを特徴とする走査形電子顕微鏡。
【請求項７】
請求項１又は請求項２に記載の発明において、
前記駆動手段を制御する制御手段と、
前記試料室の天板に取付けた傾斜検出手段とを設け、
前記御手段は、前記傾斜検出手段により測定された傾斜量と時間の関係から前記駆動手段の操作量を算出し、前記駆動手段を制御することを特徴とする走査形電子顕微鏡。
【請求項８】
請求項１又は請求項２に記載の発明において、
前記駆動手段を制御する制御手段と、
前記予備排気室に取付けた圧力検出手段とを設け、
前記御手段は、前記圧力検出手段により測定された圧力量と時間の関係から前記駆動手段の操作量を算出し、前記駆動手段を制御することを特徴とする走査形電子顕微鏡。
【請求項９】
請求項１又は請求項２に記載の発明において、
前記駆動手段は、前記試料室と当該試料室を支持するベースの間に配置されている圧電素子もしくはくさび式移動機構で構成されることを特徴とする走査形電子顕微鏡。
【手続補正書】
【提出日】平成17年8月4日(2005.8.4)
【手続補正１】
【補正対象書類名】明細書
【補正対象項目名】発明の名称
【補正方法】変更
【補正の内容】
【発明の名称】デジタルオーディオディスク及びその再生方法
【手続補正２】
【補正対象書類名】明細書
【補正対象項目名】特許請求の範囲
【補正方法】変更
【補正の内容】
【特許請求の範囲】
【請求項１】
デジタルオ−デイオデイスクへの記録に際しては、１以上のオリジナル楽曲と、前記オリジナル楽曲とは別に選択的に再生するためのボ−ナス楽曲のアナログオ−デイオ信号を９６ｋＨｚより高いサンプリング周波数でＡ／Ｄ変換してデジタルデ−タ列を生成するステツプと、
補助信号の記録領域と主信号の記録領域とが連続して配置されて、前記補助信号の記録領域にデイスクを識別するためのデイスク識別子を少なくとも含むと共に、前記主信号の記録領域に、
１以上のオリジナル楽曲と、前記オリジナル楽曲とは別に選択的に再生するためのボ−ナス楽曲とを、管理するオ−デイオマネジヤ（ＡＭＧ）と、
前記オリジナル楽曲の構成要素である第１のオ−デイオパツクと、
前記ボ−ナス楽曲の構成要素である第２のオ−デイオパツクと、
前記第１のオ−デイオパツクと第２のオ−デイオパツクでそれぞれ構成される各インデツクスと、
前記各インデツクスでそれぞれ構成される各トラックと、
前記各トラックでそれぞれ構成される各オ−デイオコンテンツブロツクと、
再生時にユ−ザが前記ボ−ナス楽曲にアクセスするために供給するデ−タと比較されるデ−タであつてこの供給されたデ−タと同一の場合に、前記ボ−ナス楽曲を再生することを許容するインタラクテイブデ−タと、
再生装置が前記ボ−ナス楽曲をサ−チするためのサ−チ情報と、
再生装置が前記オリジナル楽曲のトラックをサ−チするためのサ−チ情報と、
を少なくとも含む所定のフオ−マツトにより符号化し、変調して記録するステツプと、
により記録されたデジタルオ−デイオデイスク。
【請求項２】
請求項１記載のデジタルオーディオディスクの再生方法であって、
前記デイスク識別子に基づいてデイスクを識別するステツプと、
前記デジタルオ−デイオデイスクと識別された場合、前記ボ−ナス楽曲にアクセスするためのインタラクテイブデ−タを受け入れるステツプと、
前記１つ以上のオリジナル楽曲を前記入力インタラクテイブデ−タと関係なく再生すると共に、前記入力インタラクテイブデ−タと前記デイスクに記録されたインタラクテイブデ−タが一致した場合に前記ボ−ナス楽曲を再生するステツプと、
から成るデジタルオ−デイオデイスクの再生方法。
【手続補正３】
【補正対象書類名】明細書
【補正対象項目名】０００１
【補正方法】変更
【補正の内容】
【０００１】
【発明の属する技術分野】
本発明は、デジタルオーディオディスク及びその再生方法に関する。
【手続補正４】
【補正対象書類名】明細書
【補正対象項目名】０００４
【補正方法】変更
【補正の内容】
【０００４】
本発明は上記問題点に鑑み、ユーザが多種多様な再生を行うことができ、また、ディスク製作者が同一ディスクを異なる方法で利用することができるデジタルオーディオディスク及びその再生方法を提供することを目的とする。
【手続補正５】
【補正対象書類名】明細書
【補正対象項目名】０００５
【補正方法】変更
【補正の内容】
【０００５】
【課題を解決するための手段】
本発明は上記目的を達成するために、以下の１）及び２）の手段よりなる。
すなわち、
１）デジタルオ−デイオデイスクへの記録に際しては、１以上のオリジナル楽曲と、前記オリジナル楽曲とは別に選択的に再生するためのボ−ナス楽曲のアナログオ−デイオ信号を９６ｋＨｚより高いサンプリング周波数でＡ／Ｄ変換してデジタルデ−タ列を生成するステツプと、
補助信号の記録領域と主信号の記録領域とが連続して配置されて、前記補助信号の記録領域にデイスクを識別するためのデイスク識別子を少なくとも含むと共に、前記主信号の記録領域に、
１以上のオリジナル楽曲と、前記オリジナル楽曲とは別に選択的に再生するためのボ−ナス楽曲とを、管理するオ−デイオマネジヤ（ＡＭＧ）と、
前記オリジナル楽曲の構成要素である第１のオ−デイオパツクと、
前記ボ−ナス楽曲の構成要素である第２のオ−デイオパツクと、
前記第１のオ−デイオパツクと第２のオ−デイオパツクでそれぞれ構成される各インデツクスと、
前記各インデツクスでそれぞれ構成される各トラックと、
前記各トラックでそれぞれ構成される各オ−デイオコンテンツブロツクと、
再生時にユ−ザが前記ボ−ナス楽曲にアクセスするために供給するデ−タと比較されるデ−タであつてこの供給されたデ−タと同一の場合に、前記ボ−ナス楽曲を再生することを許容するインタラクテイブデ−タと、
再生装置が前記ボ−ナス楽曲をサ−チするためのサ−チ情報と、
再生装置が前記オリジナル楽曲のトラックをサ−チするためのサ−チ情報と、
を少なくとも含む所定のフオ−マツトにより符号化し、変調して記録するステツプと、により記録されたデジタルオ−デイオデイスク。
２）請求項１記載のデジタルオーディオディスクの再生方法であって、
前記デイスク識別子に基づいてデイスクを識別するステツプと、
前記デジタルオ−デイオデイスクと識別された場合、前記ボ−ナス楽曲にアクセスするためのインタラクテイブデ−タを受け入れるステツプと、
前記１つ以上のオリジナル楽曲を前記入力インタラクテイブデ−タと関係なく再生すると共に、前記入力インタラクテイブデ−タと前記デイスクに記録されたインタラクテイブデ−タが一致した場合に前記ボ−ナス楽曲を再生するステツプと、
から成るデジタルオ−デイオデイスクの再生方法。
【手続補正書】
【提出日】平成17年10月4日(2005.10.4)
【手続補正１】
【補正対象書類名】明細書
【補正対象項目名】請求項４
【補正方法】変更
【補正の内容】
【請求項４】 インクを液滴状に噴射して受像材料上に画像を記録するインクジェット記録方法において、該インクが、請求項３記載のインクであることを特徴とするインクジェット記録方法。
【手続補正２】
【補正対象書類名】明細書
【補正対象項目名】００６１
【補正方法】変更
【補正の内容】
【００６１】
以上の配合物を３０〜４０℃で加熱しながら１時間撹拌した後、平均孔径０．８μ、直径４７ｍｍのミクロフィルターを用いて加圧濾過して目的とするインクを得た。
色素を表１のように変える以外はインクＧと同様にしてインク液Ｈ〜Ｍを作成した。
上記インク液Ｇ〜Ｍを用いてインクジェットプリンターＰＭ−７００Ｃ（セイコーエプソン社製）によって富士写真フイルム製インクジェットペーパー、スーパーフォトグレード（フォト光沢紙）に印写して画像サンプルを得た。
【手続補正書】
【提出日】平成16年8月24日(2004.8.24)
【手続補正１】
【補正対象書類名】明細書
【補正対象項目名】０１００
【補正方法】変更
【補正の内容】
【０１００】
式中、Ａ２１、Ａ２２、Ｂ２１、及びＢ２２は、各々独立に、置換基を表す。Ｙ２１及びＺ２１は、各々独立に、炭素環もしくは複素環を形成するために必要な原子団を表す。Ｅ及びＧは、各々独立に、共役二重結合鎖を完成するために必要な原子団を表す。Ｘ２１は、＝Ｏ、＝ＮＲ５０、又は＝Ｃ（ＣＮ）２を表す。Ｘ２２は、−Ｏ、−ＮＲ５０、又は−Ｃ（ＣＮ）２を表す。但し、Ｒ５０は置換基を表す（Ｒ５０で表される置換基は、上記Ａ２１、Ａ２２、Ｂ２１、及びＢ２２で表される置換基の例と同義である）。Ｌ２１、Ｌ２２、Ｌ２３、Ｌ２４及びＬ２５は各々独立に、置換されていてもよいメチン基を表す。Ｖｋ＋は、カチオンを表す。ｎ３及びｎ４は、各々独立に０、１又は２を表す。ｘおよびｙは、各々独立に、０又は１を表す。そしてｋは、１〜１０の整数を表す。
【手続補正２】
【補正対象書類名】明細書
【補正対象項目名】０１２７
【補正方法】変更
【補正の内容】
【０１２７】
式中、Ｒ６０ 及びＲ６１ は、各々独立に置換基を表し、Ｒ６２及びＲ６３は、各々独立に、アルキル基、アルケニル基、アルキニル基、アラルキル基、アリール基または複素環基を表し、Ｒ６０ とＲ６１、Ｒ６０とＲ６２、又はＲ６１とＲ６３は各々互いに連結して環を形成してもよく、ｒ及びｓは、各々独立に０〜４の整数を表し、そしてｒとｓが２以上の場合には、複数のＲ６０ 及びＲ６１は各々互いに同じであっても異なっていてもよい。
【手続補正３】
【補正対象書類名】明細書
【補正対象項目名】０１４０
【補正方法】変更
【補正の内容】
【０１４０】
式中、Ｒ６４及びＲ６５は、それぞれ前記一般式（IV−１）におけるＲ６０及びＲ６１で表される置換基と同義であり、またそれぞれについて、その好ましい範囲も同一である。Ｒ６６及びＲ６７は、それぞれ前記一般式（IV−１）におけるＲ６２及びＲ６３で表される置換基と同義であり、またそれぞれについて、その好ましい範囲も同一である。ｒ及びｓは、各々独立に０〜４の整数を表し、そしてｒとｓが２以上の場合には、複数のＲ６４ 及びＲ６５は各々互いに同じであっても異なっていてもよい。
【手続補正４】
【補正対象書類名】明細書
【補正対象項目名】０１４２
【補正方法】変更
【補正の内容】
【０１４２】
式中、Ｒ６８及びＲ６９は、それぞれ前記一般式（IV−１）におけるＲ６０及びＲ６１で表される置換基と同義であり、またそれぞれについて、その好ましい範囲も同一である。Ｒ６８及びＲ６９は、それぞれ互いに連結して炭素環または複素環を形成している場合も好ましく、特に好ましくは、Ｒ６８及びＲ６９がそれぞれ結合しているピリジン環との縮合芳香環を形成している場合である。ｒ及びｓは、各々独立に０〜４の整数を表し、そしてｒとｓが２以上の場合には、複数のＲ６８ とＲ６９は各々互いに同じであっても異なっていてもよい。
【手続補正書】
【提出日】平成16年6月14日(2004.6.14)
【手続補正１】
【補正対象書類名】明細書
【補正対象項目名】００１８
【補正方法】変更
【補正の内容】
【００１８】
【表１】
2000355514.tif 000001
【手続補正２】
【補正対象書類名】明細書
【補正対象項目名】００１９
【補正方法】変更
【補正の内容】
【００１９】
【表２】
2000355514.tif 000002
【手続補正３】
【補正対象書類名】明細書
【補正対象項目名】００２３
【補正方法】変更
【補正の内容】
【００２３】
実施例６  ボディ用マッサージジェル
（成分）                                                   （％）
１．架橋型メチルポリシロキサン混合物                     １０．０
２．メチルポリシロキサン                                   ５．０
３．ポリオキシエチレン・メチルポリシロキサン共重合体       ２．０
４．１，３−ブチレングリコール                           １０．０
５．カルボキシビニルポリマー                               ０．３
６．エタノール                                           １０．０
７．トリエタノールアミン                                   ０．７
８．香料                                                     適量
９．軽石粉末（注１）                                     ４０．０
１０．精製水                                                   残量
注１；イシカワライト４号（平均粒子径２９０〜５９０μｍ、角八魚鱗箔社製）
【手続補正４】
【補正対象書類名】明細書
【補正対象項目名】００２５
【補正方法】変更
【補正の内容】
【００２５】
実施例７  ボディ用マッサージミルク
（成分）                                             （％）
１．ステアリン酸                                     １．０
２．モノステアリン酸ソルビタン                       １．０
３．ポリオキシエチレン（２０Ｅ．Ｏ．）ソルビタン
モノステアレート                                 １．０
４．スクワラン                                       ３．０
５．白色ワセリン                                     ３．０
６．カルボキシビニルポリマー                         ０．１
７．１，３−ブチレングリコール                       ７．０
８．トリエタノールアミン                             ０．２
９．軽石粉末（注１）                               ３０．０
１０．精製水                                             残量
注１；イシカワライト６号（平均粒子径１３０〜２５０μｍ、角八魚鱗箔社製）
【手続補正書】
【提出日】平成17年7月25日(2005.7.25)
【手続補正１】
【補正対象書類名】明細書
【補正対象項目名】特許請求の範囲
【補正方法】変更
【補正の内容】
【特許請求の範囲】
【請求項１】
中空体状のエアボックス本体と、前記エアボックス本体の上面壁の一部を凹入させることにより形成され、かつ上部側に空気取入れ口が開口された気水分離壁と、前記気水分離壁の下部側と前記エアボックス本体の底面壁とを連設し、かつ前記気水分離壁により分離された水を排水する排水口が開口された連設部と、前記エアボックス本体の上面壁を除く一部に開口された空気排出口とを具備したことを特徴とする自動車のエアボックス。
【請求項２】
前記エアボックス本体は、合成樹脂のブロー成形により一体成形されたことを特徴とする請求項１記載の自動車のエアボックス。
【請求項３】
エアボックス本体の上面壁の平坦面に空気取入れ口を開口してなる請求項１または２記載の自動車のエアボックス。
【請求項４】
空気排出口を底面壁より上方に設けてなる請求項１ないし３項の何れか１項に記載の自動車のエアボックス。
【請求項５】
エアボックス本体の上面壁に取付けフランジを一体に突設して、この取付けフランジを係止手段によりカウルトップカバーの裏面に係止してなる請求項１ないし４項の何れか１項に記載の自動車のエアボックス。
【請求項６】
エアボックス本体の底面壁または側面壁に取付けフランジを一体に突設して、この取付けフランジを固着手段により車体に取付けてなる請求項１ないし５項の何れか１項に記載の自動車のエアボックス。
【手続補正２】
【補正対象書類名】明細書
【補正対象項目名】０００７
【補正方法】変更
【補正の内容】
【０００７】
【課題を解決するための手段】
前記目的を達成するため請求項１記載の発明は、中空体状のエアボックス本体と、前記エアボックス本体の上面壁の一部を凹入させることにより形成され、かつ上部側に空気取入れ口が開口された気水分離壁と、前記気水分離壁の下部側と前記エアボックス本体の底面壁とを連設し、かつ前記気水分離壁により分離された水を排水する排水口が開口された連設部と、前記エアボックス本体の上面壁を除く一部に開口された空気排出口とより構成したものであり、請求項２に記載の発明は、前記エアボックス本体が、合成樹脂のブロー成形により一体成形されて構成している。
【手続補正３】
【補正対象書類名】明細書
【補正対象項目名】００１０
【補正方法】変更
【補正の内容】
【００１０】
前記目的を達成するため請求項３記載の発明は、エアボックス本体の上面壁の平坦面に空気取入れ口を開口したものである。
【手続補正４】
【補正対象書類名】明細書
【補正対象項目名】００１２
【補正方法】変更
【補正の内容】
【００１２】
前記目的を達成するため請求項４記載の発明は、空気排出口を底面壁より上方に設けたものである。
【手続補正５】
【補正対象書類名】明細書
【補正対象項目名】００１４
【補正方法】変更
【補正の内容】
【００１４】
前記目的を達成するため請求項５記載の発明は、エアボックス本体の上面壁に取付けフランジを一体に突設して、この取付けフランジを係止手段によりカウルトップカバーの裏面に係止したものである。
【手続補正６】
【補正対象書類名】明細書
【補正対象項目名】００１６
【補正方法】変更
【補正の内容】
【００１６】
前記目的を達成するため請求項６記載の発明は、エアボックス本体の底面壁または側面壁に取付けフランジを一体に突設して、この取付けフランジを固着手段により車体に取付けたものである。
【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
駆動源装置に接続し、該駆動源装置により駆動される露光装置において、
前記駆動源装置は複数の駆動源ユニットによって構成されており、
前記駆動源ユニットのそれぞれを収納する複数の分割収納部を備えることを特徴とする露光装置。
【請求項２】
請求項１に記載の露光装置において、
前記分割収納部のそれぞれは積層可能であり、前記分割収納部を設置する空間に応じて前記分割収納部の積層数が設定されることを特徴とする露光装置。
【請求項３】
請求項１又は２に記載の露光装置において、
前記分割収納部のそれぞれは、前記分割収納部を設置する空間を２つの空間に仕切る床部の上方と下方とに分けて配置されることを特徴とする露光装置。
【請求項４】
請求項１〜３のいずれかに記載の露光装置において、
前記分割収納部のそれぞれは、前記駆動源ユニットのそれぞれに対して所定の処理を行うための処理部を備えることを特徴とする露光装置。
【請求項５】
請求項４に記載の露光装置において、
前記分割収納部のそれぞれは、前記処理部のそれぞれを接続するための処理部用コネクタ部を備えており、
複数の処理部のうち少なくとも１つの処理部を処理することによって他の処理部も処理されることを特徴とする露光装置。
【請求項６】
請求項５に記載の露光装置において、
前記複数の処理部のうち少なくとも１つの処理部に対して操作入力することにより他の処理部も処理され、
前記操作入力される処理部は任意に切り替え可能であることを特徴とする露光装置。
【請求項７】
請求項４〜６のいずれかに記載の露光装置において、
前記処理部は前記駆動源ユニットの動作を停止可能なブレーカーを含むことを特徴とする露光装置。
【請求項８】
請求項１〜７のいずれかに記載の露光装置において、
前記分割収納部のそれぞれは、前記駆動源ユニットのそれぞれを接続するための駆動源用コネクタ部を備えており、
複数の駆動源ユニットのうち少なくとも１つの駆動源ユニットが露光装置と接続されることにより、他の駆動源ユニットも前記駆動源用コネクタ部を介して接続されることを特徴とする露光装置。
【請求項９】
請求項１〜８のいずれかに記載の露光装置において、
パターンを基板に露光する露光本体装置及びこの本体装置に接続される複数の周辺装置からなる複数のモジュールを備え、
前記駆動源ユニットのそれぞれは前記モジュールのそれぞれに対応して設けられており、
前記モジュールのそれぞれと前記駆動源ユニットのそれぞれとは着脱可能に接続されることを特徴とする露光装置。
【請求項１０】
請求項１〜９のいずれかに記載の露光装置において、
前記分割収納部のそれぞれは、前記駆動源ユニットどうし又は前記駆動源ユニットと露光装置とを接続するケーブルを通すための開口部を複数位置に備えていることを特徴とする露光装置。
【請求項１１】
駆動源装置に接続し、該駆動源装置により駆動される露光装置において、
前記駆動源装置を収納する収納装置を備え、
前記収納装置は、前記駆動源装置と露光装置とを接続するケーブルを通すための開口部を複数位置に備えていることを特徴とする露光装置。
【請求項１２】
請求項１１に記載の露光装置において、
前記収納装置は、複数の開口部のうち少なくとも１つの開口部を上方位置に備えていることを特徴とする露光装置。
【請求項１３】
複数の駆動源ユニットにより駆動される露光装置において、
前記駆動源ユニットを少なくとも一つ収納し、互いに連結可能な複数の分割収納部を備え、
前記分割収納部は、前記分割収納部が設置される空間の床面積及び高さに応じて配設されることを特徴とする露光装置。
【請求項１４】
前記分割収納部は互いに積層配置が可能であり、前記分割収納部が設置される空間の床面積および高さに基づいて積層数が設定されることを特徴とする請求項１３に記載の露光装置。
【請求項１５】
前記分割収納部と前記露光装置とを接続する接続ケーブルを有し、前記分割収納部は、前記接続ケーブルの長さが最短となるように配設されることを特徴とする請求項１３または１４に記載の露光装置。
【請求項１６】
前記分割収納部は、前記露光装置が設置された床の床下空間に設置され、前記分割収納部は、前記分割収納部の設置面積が前記露光装置の設置面積以下となるように配設されることを特徴とする請求項１３から１５のいずれか一項に記載の露光装置。
【手続補正２】
【補正対象書類名】明細書
【補正対象項目名】０００９
【補正方法】変更
【補正の内容】
【０００９】
本発明によれば、駆動源装置（１）を収納するための収納装置（２）に、駆動源装置（１）と露光装置とを接続するケーブル（Ｃ）を通すための開口部（３）を複数位置に設けることにより、露光装置と駆動源装置（１）とをケーブル（Ｃ）によって接続する際、露光装置と駆動源装置（１）とを最短のケーブル（Ｃ）で接続するように開口部（３）を選択することができるので、このケーブル（Ｃ）を可能な限り短くすることができる。したがって、ケーブル（Ｃ）に対する電気的ノイズの影響のおそれを低減することができる。また、本発明の露光装置（ＥＸ）は、複数の駆動源ユニット（１ａ、１ｂ、１ｃ）により駆動される露光装置において、その駆動源ユニット（１ａ、１ｂ、１ｃ）を少なくとも一つ収納し、互いに連結可能な複数の分割収納部（２ａ、２ｂ、２ｃ）を備え、その分割収納部（２ａ、２ｂ、２ｃ）は、分割収納部が設置される空間（ＳＰ）の床面積及び高さに応じて配設されることを特徴とする。これによれば、分割収納部（２ａ、２ｂ、２ｃ）が設置される空間（ＳＰ）に応じて、最適なレイアウトで分割収納部（２ａ、２ｂ、２ｃ）を配設することができる。